(57)【要約】【課題】内部の札板を確実に収容し、かつ内部の札板を傷つけずに取り出しやすくする繰り出し位牌の提供を目的とする。【解決手段】前方側に設けられ窓部Ｗを有する前方部材２と、後方側に設けられ前方部材２と接続される後方部材３とを備え、前方部材２および後方部材３のいずれか一方の部材に内側に複数の札板Ｐを収容可能な高さを有する枠状壁部３２を備え、一方の部材の少なくとも一部に磁石Ｍまたは磁性体が設けられ、他方の部材が枠状壁部３２の外周側から嵌め込まれるとともに、一方の部材の磁石Ｍ２または磁性体と、他方の部材のうち、磁石Ｍまたは磁性体が設けられた部位に対向する部位とが、磁力により吸着されて、前方部材２および後方部材３が接続された状態で保持され、前方部材２および後方部材３を磁力に抗して分離することが可能であることを特徴とする。【選択図】図１
0003189096.tif 000002
【実用新案登録請求の範囲】
【請求項１】
内部に複数の札板が収容される繰り出し位牌であって、
前記繰り出し位牌が、
前記繰り出し位牌の前方側に設けられ、窓部を有する前方部材と、前記繰り出し位牌の後方側に設けられ、前記前方部材と接続される後方部材とを備え、
前記前方部材および前記後方部材のうちのいずれか一方の部材に、前記複数の札板を内側に収容する札板収容部が形成され、
前記前方部材および前記後方部材のうちのいずれか一方の部材の少なくとも一部に磁石または磁性体が設けられ、
前記一方の部材に磁石が設けられる場合、前記前方部材および前記後方部材のうちの他方の部材に、前記前方部材と前記後方部材とが接続された時に、前記一方の部材に設けられた磁石に対向する部位に磁石または磁性体を備え、
前記一方の部材に磁性体が設けられる場合、前記他方の部材に、前記前方部材と前記後方部材とが接続された時に、前記一方の部材に設けられた磁性体に対向する部位に磁石を備え、
前記一方の部材が前記他方の部材に嵌め込まれ、前記一方の部材と前記他方の部材とが磁力により吸着されて、前記前方部材および前記後方部材が接続された状態で保持され、前記前方部材および前記後方部材を前記磁力に抗して分離することが可能な繰り出し位牌。
【請求項２】
前記繰り出し位牌の上面、側面および下面に、連続した環状のスリットが形成されることを特徴とする請求項１記載の繰り出し位牌。
【考案の詳細な説明】
【技術分野】
【０００１】
本考案は、繰り出し位牌に関する。
【背景技術】
【０００２】
位牌の１つとして、複数の札板が内部に収容可能な繰り出し位牌が知られている。この繰り出し位牌は、ご先祖様が多く仏壇内に並べることができない場合などに、それぞれのご先祖様の戒名、俗名等が記された札板と、先祖代々と記した札板とを収容し、通常は、先祖代々の札板を祀り、命日の際にそのご先祖様の札板を前面に繰り出して祀ることができる位牌である。このような繰り出し位牌は、通常、複数の札板を収容する収容部を有しており、収容部に収容された札板のうち最も前にある札板が見えるように、位牌の前面側には窓が設けられている。前面側の札板を変更する場合には、位牌の上部側に設けられた蓋を開き、位牌の上部側の開口部から札板を札板の面に平行な方向にスライドさせて取り出したうえ、取り出した札板を前面側に移動させる。
【０００３】
また、特許文献１には、図５に示されるように、位牌１００の裏面（図５中、右側）に、鉄製の薄板から構成された蓋体１０１が嵌合する当接凹面１０２を形成し、当接凹面１０２に複数の永久磁石１０３を設けて、蓋体１０１が磁石１０３に吸着されて蓋をすることができる位牌１００が開示されている。位牌１００には複数の中板１０４が収納される収納部１０５が設けられており、また、位牌１００の裏面側下方には、押込凹部１０６が形成されており、蓋体１０１の下方端部を押込凹部１０６に押し込むように押圧すると、押込凹部１０６と収納部１０５の間に設けられた凸箇所１０７が支点となり、蓋体１０１の上方を開口して、中板１０４を取り出すことができる。
【先行技術文献】
【特許文献】
【０００４】
【特許文献１】実用新案登録第３１７７９１０号公報
【考案の概要】
【考案が解決しようとする課題】
【０００５】
しかしながら、従来の上部に蓋が設けられ、札板を札板の面に平行な方向にスライドさせて取り出す繰り出し位牌では、札板をスライドする際に、札板同士が擦れ合ってしまい、札板に擦り傷が入ってしまうおそれがある。また、札板の上部に蓋を設けた場合、蓋と位牌本体との間の接続箇所が線状に外部から見えてしまうため、外観上も好ましくない。
【０００６】
また、特許文献１の位牌１００は、永久磁石１０３により吸着された蓋体１０１を永久磁石１０３の吸着力に抗して押込凹部１０６内に押圧する必要があるが、蓋体１０１の上端側を吸着する永久磁石１０３から支点となる凸箇所１０７までの距離は、支点となる凸箇所１０７から力点となる蓋体１０１の下端１０１ａまでの距離に対して長いため、永久磁石１０３の吸着力が強い場合は、蓋体１０１を押し込むために大きな力を加えなければならず、開放するのが非常に困難である。また、逆に永久磁石１０３の吸着力が弱い場合には、位牌１００を持ったときに蓋体１０１の下端１０１ａに触れてしまうと、弱い力でも蓋体１０１が開放してしまい、位牌１００の収納部１０５に収納された中板１０４がばらけてしまい、中板１０４が傷ついてしまうおそれがある。さらに、この位牌１００では、蓋体１０１の開放を繰り返すと、支点となる凸箇所１０７が傷んでしまうという問題が生じる。また、特許文献１の位牌１００も、位牌１００の裏面側に蓋体１０１との接続箇所が線状に現れるため、外観上も好ましくない。
【０００７】
そこで、本発明はかかる問題点に鑑みて、内部の札板を確実に収容し、かつ内部の札板を傷つけずに取り出しやすくする繰り出し位牌の提供を目的とする。
【課題を解決するための手段】
【０００８】
本考案の繰り出し位牌は、内部に複数の札板が収容される繰り出し位牌であって、前記繰り出し位牌が、前記繰り出し位牌の前方側に設けられ、窓部を有する前方部材と、前記繰り出し位牌の後方側に設けられ、前記前方部材と接続される後方部材とを備え、前記前方部材および前記後方部材のうちのいずれか一方の部材に、前記複数の札板を内側に収容する札板収容部が形成され、前記前方部材および前記後方部材のうちのいずれか一方の部材の少なくとも一部に磁石または磁性体が設けられ、前記一方の部材に磁石が設けられる場合、前記前方部材および前記後方部材のうちの他方の部材に、前記前方部材と前記後方部材とが接続された時に、前記一方の部材に設けられた磁石に対向する部位に磁石または磁性体を備え、前記一方の部材に磁性体が設けられる場合、前記他方の部材に、前記前方部材と前記後方部材とが接続された時に、前記一方の部材に設けられた磁性体に対向する部位に磁石を備え、前記一方の部材が前記他方の部材に嵌め込まれ、前記一方の部材と前記他方の部材とが磁力により吸着されて、前記前方部材および前記後方部材が接続された状態で保持され、前記前方部材および前記後方部材を前記磁力に抗して分離することが可能であることを特徴とする。
【０００９】
また、前記繰り出し位牌の上面、側面および下面に、連続した環状のスリットが形成されることが好ましい。
【考案の効果】
【００１０】
従来の繰り出し位牌は、札板を取り出す際には、位牌の上面または背面の蓋を開閉することにより札板を収容するものしかなかったが、そのような常識に反して、本考案者は前方部材と後方部材とを、前後で完全に分離する繰り出し位牌を初めて考案した。そして、前方部材と後方部材との間には、２つの部材を接続するための、ヒンジ部分や凹凸部分など、汚れを取りにくい部分がないため、手入れを容易かつ確実にすることができる。さらに、札板を取り出す際に、札板の面に沿ってスライドして取り出すことがないため、札板の表面にスライドによる擦り傷などが生じることがない。
【００１１】
また、外部から力が加わっても、前方部材と後方部材とが分離しにくく、位牌を移動させるときなど、位牌を手に持ったときに、誤って繰り出し位牌内部の札板がばらけてしまったり、落下することにより、札板が傷むこともない。
【００１２】
また、前方部材と後方部材との間に、スリットが形成される場合には、前方部材と後方部材とが分離しやすくなるうえ、すっきりした外観となる。
【図面の簡単な説明】
【００１３】
【図１】本考案の繰り出し位牌の分解斜視図である。
【図２】本考案の繰り出し位牌の斜視図である。
【図３】本考案の繰り出し位牌の縦断面である。
【図４】本考案の繰り出し位牌の横断面である。
【図５】従来の繰り出し位牌の断面図である。
【考案を実施するための形態】
【００１４】
以下、添付図面を参照し、本考案の繰り出し位牌を詳細に説明する。
【００１５】
図１に示されるように、本考案の繰り出し位牌１は、内部に複数の札板Ｐが収容される。札板Ｐは、何某家先祖代々之霊位と記した札板と、ご先祖様の戒名、俗名等が記された複数の札板とからなり、複数の札板Ｐが繰り出し位牌１に収容される。図１に示す実施形態では８枚の札板Ｐが収容されるように構成されているが、繰り出し位牌１に収容される札板Ｐの枚数は特に限定されるものではない。なお、札板Ｐの形状は、本実施形態では、矩形状の札板として示されているが、札板Ｐは繰り出し位牌１の内部に収容することができるものであれば、特にその外形形状は限定されるものではない。
【００１６】
また、図１に示されるように、繰り出し位牌１は、繰り出し位牌１の前方側に設けられ、窓部Ｗを有する前方部材２と、繰り出し位牌１の後方側に設けられ、前方部材２に嵌め込まれる後方部材３とを備えている。なお、繰り出し位牌１の「前方側」とは、図１に示されるように、窓部Ｗが設けられている側、すなわち繰り出し位牌１を立てた状態での正面側をいう。また、繰り出し位牌１の「後方側」とは、窓部Ｗが設けられている側とは反対側の面側、すなわち繰り出し位牌１を立てた状態での背面側をいう。なお、本実施形態では、繰り出し位牌１は、図２に示されるように、繰り出し位牌１の表面に湾曲部を有するものが示されているが、表面の形状や、全体の外形形状は、後述する効果を奏するものである限り、特に限定されるものではなく、全体の外形形状が不規則な形状であってもよいし、表面に模様などの凹凸が形成されたものであってもよい。
【００１７】
本実施形態では、図１に示されるように、後方部材３に複数の札板Ｐを収容する札板収容部３１が形成されている。札板収容部３１は、前方部材２と後方部材３のうちいずれか一方の部材に形成されていればよく、一方の部材に札板収容部３１が形成される場合には、その札板収容部３１は、他方の部材に向かって開口する。すなわち、本実施形態では、一方の部材である後方部材３に形成されており、他方の部材である前方部材２に向かって開口している。札板収容部３１は、後方部材３側から前方部材２に向かって延び、内側に複数の札板Ｐを収容可能な高さを有する枠状壁部３２を備えている。図３および図４に示されるように、枠状壁部３２の内側には複数の札板Ｐが収容され、本実施形態では枠状壁部３２の内側に、札板Ｐの外形よりもわずかに大きい開口を有した凹部が形成されている。枠状壁部３２の内側の凹部は、札板Ｐの枚数に応じた高さとされている。ここでいう「高さ」とは、枠状壁部３２の内側に形成された凹部の高さであり、繰り出し位牌１を立てた状態での前後方向（図１における前方側および後方側に平行な方向）の長さをいう。なお、枠状壁部３２の内側の凹部は、図１においては断面が矩形状の凹部として示されているが、凹部の形状は札板Ｐを収容できる形状であれば、特に限定されるものではない。
【００１８】
本実施形態では、後方部材３は、図３および図４に示されるように、繰り出し位牌１の背面を構成する後部３３と、後部３３の両側部から前方側に向かって延びる２つの側壁部３４（図４参照）とを備えている。また、後方部材３は、図１〜図３に示されるように、後部３３の上端から前方側に向かって延びる上端側壁部３５と、後部３３の下端から前方側に向かって延びる下端側壁部３６とを備えている。図１、図３および図４に示されるように、後方部材３は、繰り出し位牌１の上面、側面、下面の一部を構成する上端側壁部３５、下端側壁部３６および２つの側壁部３４から、前方側に向かって一回り小さい枠状壁部３２が突出するように構成されている。
【００１９】
前方部材２は、本実施形態では、後方部材３に嵌め込まれる部材（または、後方部材３が嵌め込まれる部材）である。なお、本明細書において、「嵌め込む」とは、前方部材２と後方部材３との間に遊びのある状態で、前方部材２と後方部材３とを取り付けるもの、前方部材２と後方部材３との間に遊びがほぼない状態で前方部材２を後方部材３に対して摺動させて取り付けるものも含む。前方部材２には、札板Ｐのうち、最も前方側に位置する札板Ｐを祀ることができるように、札板Ｐよりも一回り小さな窓部Ｗが形成されている。窓部Ｗは、札板収容部３１内に収容された札板Ｐが外部に出ないように構成されており、具体的には、窓部Ｗの開口幅（図４における窓部Ｗの左右方向の幅）および高さ（図３における窓部Ｗの上下方向の長さ）が札板Ｐの外形よりもわずかに小さくされている。なお、窓部Ｗは、本実施形態では、単なる開口として示されているが、開口をガラスなどにより覆ったものを窓部Ｗとしてもよく、その場合、窓部Ｗの大きさは、札板Ｐの大きさと同程度か、札板Ｐよりも大きくしても構わない。
【００２０】
本実施形態では、図１〜図４に示されるように、前方部材２は、窓部Ｗを有し、繰り出し位牌１の前面を構成する前部２１と、前部２１の両側部から後方側に向かって延びる２つの側壁部２２とを備えている。さらに、前方部材２は、前部２１の上端から後方側に向かって延びる上端側壁部２３と、前部２１の下端から後方側に向かって延びる下端側壁部２４とを備えている。本実施形態では、図３に示されるように、後方部材３の枠状壁部３２の上端および下端の間の寸法が、前方部材２の上端側壁部２３の内側と下端側壁部２４の内側との間の寸法よりわずかに小さくされ、図４に示されるように、後方部材３の枠状壁部３２の外側間の幅が、前方部材２の側壁部２２の内側間の幅よりもわずかに小さくされている。このような構造により、前方部材２は、後方部材３の枠状壁部３２を覆うように嵌め込まれる。
【００２１】
このように、前方部材２および後方部材３とは、互いに嵌め込むことにより取り付けることができる形状を呈している。上述した形状はあくまで一例であり、前方部材２および後方部材３のうちのいずれか一方を他方に嵌め込むことができ、後述する効果を奏するものであれば、その接続構造は図示した実施形態に限定されるものではなく、他の接続構造により接続してもよい。たとえば、上述した実施形態では、後方部材３の枠状壁部３２に、前方部材２が枠状壁部３２を外側から覆うように嵌め込まれているが、たとえば窓部Ｗを除いて、前方部材２と後方部材３の構成を逆にする（後方部材３に枠状壁部３２を設けずに、前方部材２に札板Ｐが収容される枠状壁部を形成し、後方部材３を前方部材２に設けた枠状壁部を覆うように外側から嵌め込む）こともできる。
【００２２】
つぎに、前方部材２と後方部材３とを接続した後、互いを保持する構造について説明する。
【００２３】
本考案の繰り出し位牌１の前方部材２と後方部材３とは、磁石の磁力により互いに吸着され、保持される。具体的には、前方部材２および後方部材３のうちのいずれか一方の部材の少なくとも一部に磁石または磁性体が設けられ、その磁石または磁性体に、吸着される磁石または磁性体が他方の部材に設けられる。たとえば一方の部材を後方部材３とし、後方部材３に磁石または磁性体を設けた場合、他方の部材となる前方部材２に、後方部材３に設けられた磁石または磁性体に吸着される磁石または磁性体が設けられる。より具体的には、一方の部材（後方部材３）に磁石が設けられる場合、他方の部材（前方部材２）に、前方部材２と後方部材３とが接続された時に、一方の部材（後方部材３）に設けられた磁石に対向する部位に磁石または磁性体が設けられ、一方の部材（後方部材３）に磁性体が設けられる場合、他方の部材（前方部材２）に、前方部材２と後方部材３とが接続された時に、一方の部材（後方部材３）に設けられた磁性体に対向する部位に磁石が設けられる。
【００２４】
本実施形態では、前方部材２側、後方部材３側とも磁石Ｍ、Ｍ２が設けられているが、両方とも磁石である必要はない。なお、磁石Ｍ、Ｍ２としては、フェライト磁石、ネオジム磁石などを用いることができるが、特に磁石の種類は限定されるものではない。また、本実施形態では、後方部材３の枠状壁部３２の上下の端面Ｆの中央にそれぞれ１つずつの磁石Ｍが設けられ、前方部材２には、後方部材３の磁石Ｍに対向する位置、すなわち、前方部材２の前部２１の裏面２１ａ（図３参照）の上下にそれぞれ１つの磁石Ｍ２が設けられている。しかしながら、磁石Ｍ、Ｍ２を設ける位置は、前方部材２と後方部材３とを磁力により吸着することができる位置であれば特に限定されず、上下方向に延びる枠状壁部３２のうち、左右に位置する壁部にそれぞれ設けてもよい。また、磁石Ｍの個数も２つに限らず、１つであっても、３つ以上であってもよい。また、本実施形態では、枠状壁部３２の端面Ｆに磁石Ｍが設けられているが、磁石Ｍを設ける位置は、端面Ｆに限らず、枠状壁部３２のうち、前方部材２と対向する位置であればよい。たとえば、図３における前方部材２の上端側壁部２３の内側（図３における上端側壁部２３の下側）に磁石Ｍ２を設け、枠状壁部３２のうち、上端側壁部２３に対向する部位に磁石Ｍを設けてもよい。また、本実施形態では、枠状壁部３２に磁石Ｍを設けたものを示しているが、前方部材２および後方部材３とを磁力により接続した状態で保持することが可能であれば、磁石Ｍを設ける位置は枠状壁部３２に限定されるものではない。たとえば、後述する後方部材３の側壁部３４の端面３４Ｆや、上端側壁部３５、下端側壁部３６の端面に磁石Ｍを設け、前方部材２の側壁部２２の端面２２Ｆや、上端側壁部２３、下端側壁部２４の端面に、磁石Ｍに対向する位置に磁石Ｍ２または磁性体を設けて、前方部材２と後方部材３とを磁力により吸着して保持しても構わない。この場合、前方部材２の磁石Ｍ２と後方部材３の磁石Ｍとの間には空間が形成されるが、磁石Ｍ、Ｍ２に強力な磁石を用いるか、磁石Ｍ、Ｍ２の数を増やすことにより、前方部材２と後方部材３とが接続した状態で十分に保持することが可能である。なお、本実施形態では、磁石Ｍおよび磁石Ｍ２は、前方部材２および後方部材３に形成された凹部に埋め込まれた後、磁石Ｍおよび磁石Ｍ２の表面を磁気透過性の材料により覆っているが、磁石Ｍおよび磁石Ｍ２の表面が露出したものであっても構わない。
【００２５】
また、本実施形態では、前方部材２および後方部材３のいずれもが、磁石を有しているが、前方部材２および後方部材３のうちの一方に磁石が設けられていれば、他方は磁石が吸着される磁性体を設ければよい。この場合、前方部材２および後方部材３のうちの一方に設けられた磁石に対向する部位に少なくとも磁性体が設けられていればよい。磁性体としては、磁石が吸着可能なものであればよく、たとえば、鉄やマルテンサイト系ステンレス鋼などの強磁性体を用いることができる。
【００２６】
このように、前方部材２および後方部材３に磁石Ｍ、Ｍ２（または磁性体）が設けられているため、前方部材２が札板収容部３１の枠状壁部３２の外周側から嵌め込まれるとともに、枠状壁部３２の磁石Ｍと、前方部材２の枠状壁部３２の磁石が設けられた部位に対向する部位とが、磁力により吸着される。これにより、前方部材２および後方部材３が固定され（図２参照）、そして、前方部材２および後方部材３を磁力に抗して分離することが可能となる。すなわち、本考案の繰り出し位牌１では、前方部材２および後方部材３とが、それぞれ繰り出し位牌１の前半分および後半分を構成し、繰り出し位牌１の前半分または後半分を構成する一方の部材（本実施形態では、後方部材３）に複数の札板Ｐの全てが収容され、他方の部材（本実施形態では、前方部材２）が一方の部材の外側から嵌め込まれて磁石により固定される。したがって、繰り出し位牌１を前方側と後方側とに完全に分離することができ、前方部材２と後方部材３との間には、２つの部材を接続するための、ヒンジ部分や凹凸部分など、汚れを取りにくい部分がなく、繰り出し位牌１の手入れを容易かつ確実にすることができる。さらに、札板Ｐを取り出す際に、札板Ｐの面に沿ってスライドして取り出すことがないため、札板Ｐの表面にスライドによる擦り傷などが生じることがない。また、図２に示す状態から、前方部材２または後方部材３のいずれかに上下方向または幅方向に力が加わったとしても、前方部材２が後方部材３に嵌め込まれているため、外れることはない。特に、一方の部材の枠状壁部３２を覆うようにして他方の部材が嵌め込まれる場合は、磁石の吸着力と両部材との嵌め込みにより、より一層外れにくくなる。そして、通常、繰り出し位牌１を手に持つ場合には前方部材２および後方部材３を前後方向に離す方向に力が加わることがないため、前方部材２と後方部材３とが分離しにくく、繰り出し位牌１を移動させるときなど、繰り出し位牌１を手に持ったときに誤って繰り出し位牌１が分離することがない。したがって、意図せずに、繰り出し位牌１が分離することによって、内部の札板Ｐがばらけてしまったり、落下することによって札板Ｐが傷むこともない。
【００２７】
また、本実施形態では、前方部材２を後方部材３に嵌め込んだときに、前方部材２の側壁部２２の端面２２Ｆと後方部材３の側壁部３４の端面３４Ｆとの間に隙間Ｃが形成されている。さらに、前方部材２の上端側壁部２３と後方部材３の上端側壁部３５との間に隙間Ｃ２が形成され、前方部材２の下端側壁部２４と後方部材３の下端側壁部３６との間に隙間Ｃ３が形成され、繰り出し位牌１の上面、側面および下面に、連続した環状のスリット（隙間Ｃ、Ｃ２、Ｃ３）が形成されている。この隙間Ｃ、Ｃ２、Ｃ３のいずれか、または環状のスリットにより、前方部材２および後方部材３とが、磁石により強く接続されたとしても、隙間Ｃ、Ｃ２、Ｃ３または環状のスリットにより、前方部材２および後方部材３とを前後方向に引き離しやすくなる。特に、位牌は表面が塗装などにより滑りやすくなっているため、この隙間Ｃ、Ｃ２、Ｃ３（環状のスリット）が指などに引っ掛かり、前方部材２および後方部材３を磁力に抗して分離しやすくなる。そして、このように分離しやすい構成の場合には、前方部材２と後方部材３とをある程度強力な磁石で接続して、手で持つ場合に前方部材２と後方部材３とが不意に分離することを防止することができる。たとえば、繰り出し位牌１を手で持つ場合に、後方部材３だけを持って持ち上げようとした場合に、磁力が弱い場合には、後方部材３が前方部材２から分離し、後方部材３に収容された札板Ｐが落下してしまう可能性がある。しかしながら、隙間Ｃ、Ｃ２、Ｃ３（環状のスリット）を設けて、指が引っ掛かりやすくして、強力な磁石を用いても分離をしやすくすることにより、上述したような不意に分離することを防止することができる。さらに、隙間Ｃ、Ｃ２、Ｃ３が環状のスリットを構成することにより、従来技術のように蓋と位牌本体との間の接続箇所が繰り出し位牌１の表面において線状に現れることがなく、外観がすっきりする。
【００２８】
なお、本実施形態では、前方部材２、後方部材３および札板Ｐとから繰り出し位牌１が構成されているが、本実施形態の繰り出し位牌１にさらに屋根や扉などを追加で設けても構わない。また、本実施形態の繰り出し位牌１では、台座は特に示していないが、台座が設けられたものであっても構わない。たとえば図２に示す繰り出し位牌１の下部側を、繰り出し位牌１の下部側が差し込み可能な凹部が設けられた台座に取り付けたり、繰り出し位牌１の上部側を、繰り出し位牌１の上部側が差し込み可能な凹部が設けられた屋根部材に差し込んで取り付けてもよい。また、前方部材２および後方部材３のそれぞれを、組み付けられたときに屋根や台座となるような形状としたものであってもよい。
【符号の説明】
【００２９】
１  繰り出し位牌
２  前方部材
２１  前部
２１ａ  前部の裏面
２２  側壁部
２２Ｆ  側壁部の端面
２３  上端側壁部
２４  下端側壁部
３  後方部材
３１  札板収容部
３２  枠状壁部
３３  後部
３４  側壁部
３４Ｆ  側壁部の端面
３５  上端側壁部
３６  下端側壁部
Ｃ、Ｃ２、Ｃ３  隙間
Ｍ、Ｍ２  磁石
Ｐ  札板
Ｗ  窓部
【図１】
0003189096.tif 000003
【図２】
0003189096.tif 000004
【図３】
0003189096.tif 000005
【図４】
0003189096.tif 000006
【図５】
0003189096.tif 000007